(57)【要約】  発光ダイオード表示装置は、発光ダイオードを有する表示部と、発光ダイオードを駆動する駆動部と、発光ダイオードの累積点灯時間を記憶する点灯時間記憶手段と、発光ダイオードの第一温度を検出する第一温度検出部と、第一温度を記憶する第一温度記憶部と、測定用発光ダイオードを有するエージング表示部と、測定用発光ダイオードを駆動する駆動部と、駆動データを生成する駆動データ生成部と、測定用発光ダイオードの温度を検出する第二温度検出部と、第二温度を記憶する第二温度記憶部と、測定用発光ダイオードの輝度を測定する輝度測定部と、輝度低下率を記憶する輝度低下率記憶部と、累積点灯時間および輝度低下率から補正係数を求め第一温度と第二温度の差異に基づいて修正する補正係数演算手段と、補正係数に基づいて発光ダイオードの輝度を補正する輝度補正回路を備える。
2017061195.tif 000002
【特許請求の範囲】
【請求項１】
複数個の発光ダイオードを有する表示部と、
前記発光ダイオードを映像信号に基づいて駆動する第一駆動部と、
前記発光ダイオードの累積した点灯時間である累積点灯時間を記憶する点灯時間記憶手段と、
前記発光ダイオードの温度である第一温度を検出する第一温度検出部と、
前記第一温度を記憶する第一温度記憶部と、
測定用発光ダイオードを有するエージング表示部と、
前記測定用発光ダイオードを駆動データに基づいて駆動する第二駆動部と、
前記駆動データを生成する駆動データ生成部と、
前記測定用発光ダイオードの温度を検出する第二温度検出部と、
前記第二温度検出部が検出した温度に基づいた値である第二温度を記憶する第二温度記憶部と、
前記測定用発光ダイオードの輝度を測定する輝度測定部と、
前記輝度測定部が測定した輝度を前記測定用発光ダイオードの点灯時間と対応させて輝度低下率として記憶する輝度低下率記憶部と、
前記累積点灯時間および前記輝度低下率に基づいて前記発光ダイオードに対する補正係数を求め、前記第一温度と前記第二温度との差異に基づいて前記補正係数を修正する補正係数演算手段と、
前記補正係数に基づいて前記映像信号における前記発光ダイオードの輝度を補正する輝度補正回路と、
を備える
ことを特徴とする発光ダイオード表示装置。
【請求項２】
前記補正係数演算手段は、全ての前記発光ダイオードの輝度低下率が、前記累積点灯時間に対応する前記輝度低下率の中で最も大きい最大輝度低下率となるように前記補正係数を求める
ことを特徴とする請求項１に記載の発光ダイオード表示装置。
【請求項３】
前記補正係数演算手段は、全ての前記発光ダイオードが輝度の初期値を維持するように前記補正係数を求める
ことを特徴とする請求項１に記載の発光ダイオード表示装置。
【請求項４】
前記駆動データ生成部は、前記第一駆動部が前記発光ダイオードを駆動するデューティ比の中で最大のデューティ比を前記測定用発光ダイオードを駆動するデューティ比とする前記駆動データを生成する
ことを特徴とする請求項１、２または３に記載の発光ダイオード表示装置。
【請求項５】
前記駆動データ生成部は、複数の異なる値のデューティ比で駆動する前記駆動データを生成し、
前記輝度低下率記憶部は、前記複数の異なる値のデューティ比における前記輝度低下率を記憶する
ことを特徴とする請求項４に記載の発光ダイオード表示装置。
【発明の詳細な説明】
【技術分野】
【０００１】
本発明は、複数の発光ダイオードをマトリクス状に配置し、個々の発光ダイオードに対する点滅制御により映像情報を表示する発光ダイオード表示装置に関する。
【背景技術】
【０００２】
発光ダイオードを用いて構成される発光ダイオード表示装置は、発光ダイオードの技術発展と低コスト化により屋外および屋内の広告表示といった用途に広く使用されている。以下では、発光ダイオードをＬＥＤ（Ｌｉｇｈｔ  Ｅｍｉｔｔｉｎｇ  Ｄｉｏｄｅ）と略称することがある。【０００３】
これらの発光ダイオード表示装置は、これまで自然画およびアニメーションの動画像表示が主であったが、屋内用途においては画素ピッチの狭ピッチ化に伴い視認距離が短くなることで、会議室における画像表示または監視用途を目的とするパーソナルコンピュータの画像表示にも使用されている。特に、監視用途においては静止画に近いパーソナルコンピュータの画像を表示することが多くなっている。しかし、発光ダイオードは、点灯時間が長くなるにしたがって輝度が低下するため、画像の内容により各発光ダイオードの輝度低下率が異なり結果的に画素毎に輝度ばらつきおよび色ばらつきが発生する。【０００４】
これらの輝度ばらつき或いは色ばらつきを低減するために、発光ダイオードの表示部の輝度を検出して輝度データを補正する方法、あるいは発光ダイオードの表示時間を積算して積算時間に応じて輝度を補正する方法が提案されている（例えば、特許文献１、２参照）。
【先行技術文献】
【特許文献】
【０００５】
【特許文献１】特開平１１−１５４３７号公報
【特許文献２】特開２００６−３３０１５８号公報
【発明の概要】
【発明が解決しようとする課題】
【０００６】
しかしながら、発光ダイオードの点灯時間の違いによって生じる輝度および色のばらつきについては、寿命試験などにより発光ダイオードの輝度低下率をある程度予測することは可能であるが、発光ダイオードの製造ロットの違いによる特性の違いを予測することは困難であった。【０００７】
また、ＬＥＤディスプレイの実際の輝度を検出することにより、輝度の補正の精度を向上させることができるが、輝度測定のための画像を表示させる必要があり、２４時間稼働するシステムにおいては運用を停止させる必要が生じてしまうという問題があった。その結果、補正の精度が向上しないで輝度ばらつきまたは色ばらつきが残存し、ＬＥＤ表示部の画質が低下するとともに、これを解決するために新しいＬＥＤモジュールに交換する必要が生じるという問題があった。【０００８】
本発明は、上記に鑑みてなされたものであって、個々の発光ダイオード素子の輝度特性の経時変化に起因する輝度ばらつきを補償する輝度制御機能を備えた発光ダイオード表示装置を得ることを目的とする。
【課題を解決するための手段】
【０００９】
上述した課題を解決し、目的を達成するために、本発明は、複数個の発光ダイオードを有する表示部と、発光ダイオードを映像信号に基づいて駆動する第一駆動部と、発光ダイオードの累積した点灯時間である累積点灯時間を記憶する点灯時間記憶手段と、発光ダイオードの温度である第一温度を検出する第一温度検出部と、第一温度を記憶する第一温度記憶部と、測定用発光ダイオードを有するエージング表示部と、測定用発光ダイオードを駆動データに基づいて駆動する第二駆動部と、駆動データを生成する駆動データ生成部と、測定用発光ダイオードの温度を検出する第二温度検出部と、第二温度検出部が検出した温度に基づいた値である第二温度を記憶する第二温度記憶部と、を備えることを特徴とする。本発明は、測定用発光ダイオードの輝度を測定する輝度測定部と、輝度測定部が測定した輝度を測定用発光ダイオードの点灯時間と対応させて輝度低下率として記憶する輝度低下率記憶部と、累積点灯時間および輝度低下率に基づいて発光ダイオードに対する補正係数を求め、第一温度と第二温度との差異に基づいて補正係数を修正する補正係数演算手段と、補正係数に基づいて映像信号における発光ダイオードの輝度を補正する輝度補正回路と、をさらに備えることを特徴とする。
【発明の効果】
【００１０】
本発明によれば、個々の発光ダイオード素子の輝度特性の経時変化に起因する輝度ばらつきを補償する輝度制御機能を備えた発光ダイオード表示装置を得るという効果を奏する。
【図面の簡単な説明】
【００１１】
【図１】本発明の実施の形態１にかかる発光ダイオード表示装置の全体システム図
【図２】実施の形態１にかかる発光ダイオード表示装置が備えるＬＥＤ表示ユニットの内部ブロック図
【図３】実施の形態１にかかる発光ダイオード表示装置が備えるＬＥＤエージング部の内部ブロック図
【図４】実施の形態１にかかるＬＥＤ表示部が備えるＬＥＤおよびＬＥＤエージング表示部が備えるＬＥＤの緑色の発光ダイオードの点灯時間と輝度低下率との関係を示した図
【図５】実施の形態１にかかるＬＥＤエージング表示部が備えるＬＥＤの各色の発光ダイオードの輝度測定に基づいて得られた点灯時間と輝度低下率との関係を示した図
【図６】実施の形態１における駆動時の発光ダイオードの温度の差異に起因する輝度低下率差異の点灯時間による変化を示す図
【図７】実施の形態１にかかる発光ダイオード表示装置の輝度補正方法を示すフローチャート
【図８】実施の形態１における発光ダイオードのＰＷＭ駆動の一例を示す図
【図９】実施の形態１における発光ダイオード表示装置の輝度補正の方法を示す図
【図１０】本発明の実施の形態２における発光ダイオード表示装置の輝度補正の方法を示す図
【図１１】実施の形態２にかかる発光ダイオード表示装置の輝度補正方法を示すフローチャート
【図１２】本発明の実施の形態３にかかるＬＥＤエージング表示部における複数のデューティ比における点灯時間と輝度低下率の関係を説明する図
【発明を実施するための形態】
【００１２】
以下に、本発明の実施の形態にかかる発光ダイオード表示装置を図面に基づいて詳細に説明する。なお、この実施の形態によりこの発明が限定されるものではない。
【００１３】
実施の形態１．
図１は、本発明の実施の形態１にかかる発光ダイオード表示装置１００の全体システム図である。図２は、実施の形態１にかかる発光ダイオード表示装置１００が備えるＬＥＤ表示ユニット１３の内部ブロック図である。図３は、実施の形態１にかかる発光ダイオード表示装置１００が備えるＬＥＤエージング部２０の内部ブロック図である。
【００１４】
実施の形態１にかかる発光ダイオード表示装置１００は、大画面を構成する複数台のＬＥＤ表示ユニット１３と、映像信号の入力端子２と、ＬＥＤ表示ユニット１３を制御する制御部８と、発光ダイオードの輝度劣化の情報を求めるためのＬＥＤエージング部２０と、を備える。図１では、大画面を構成する表示ユニットであるＬＥＤ表示ユニット１３が縦に２台、横に４台並んだ計８台の例が示してある。
【００１５】
制御部８は、入力端子２から入力される映像信号に映像信号処理を行う映像信号処理回路３と、映像信号処理回路３の出力信号である映像信号の輝度を補正する輝度補正回路４と、ＬＥＤ表示ユニット１３が備える赤（Ｒ）色、緑（Ｇ）色および青（Ｂ）色の各色別の発光ダイオードそれぞれの累積した点灯時間である累積点灯時間を記憶する点灯時間記憶手段６と、ＬＥＤ表示ユニット１３内のＬＥＤ表示部１０の発光ダイオードの温度を記憶する第一温度記憶部１４と、補正係数を演算する補正係数演算手段１２と、を備える。
【００１６】
映像信号処理回路３は、入力端子２から入力される映像信号に対して、ＬＥＤ表示ユニット１３のＬＥＤ表示部１０上に表示するための拡大縮小処理及びガンマ補正などの映像信号処理を行って輝度補正回路４に出力する。映像を表示する場合、表示装置によって発色特性にばらつきが生じる。この特性を数値で表わしたものがガンマ値であり、ガンマ補正とは、元画像の明るさが変わらないようにガンマ値を用いてあらかじめ映像を補正する補正である。輝度補正回路４は、映像信号処理回路３を介して入力される映像信号の輝度値を計測し各ＬＥＤ表示部１０の色別の累積点灯時間を算出し、点灯時間記憶手段６に記憶させる。
【００１７】
輝度補正回路４が出力する映像信号は、ＬＥＤ表示ユニット１３及びＬＥＤエージング部２０に入力される。
【００１８】
図２に示すように、ＬＥＤ表示ユニット１３は、複数のＬＥＤ１で構成された表示部であるＬＥＤ表示部１０と、ＬＥＤ表示部１０の発光ダイオードを輝度補正回路４が出力する映像信号に基づいて駆動する第一駆動部５と、ＬＥＤ表示部１０のＬＥＤ１が備える発光ダイオードの温度である第一温度を検出する第一温度検出部１６と、を備える。従って、具体的には、輝度補正回路４の出力は、最初のＬＥＤ表示ユニット１３の第一駆動部５に入力されると同時に、信号線１３０を介してその後段に接続された複数のＬＥＤ表示ユニット１３及びＬＥＤエージング２０にデイジーアウトされる。第一温度検出部１６は、電気的な手段によりＬＥＤ１の各発光ダイオードの温度を検出するので、全てのＬＥＤ１の色別の発光ダイオードそれぞれの温度が検出可能となるように設けてもよい。第一温度検出部１６が検出したＬＥＤ１の発光ダイオードの温度は、第一温度記憶部１４に記憶される。
【００１９】
ＬＥＤ表示ユニット１３の第一駆動部５は、輝度補正回路４から入力される映像信号に基づいて表示に必要な領域を選択し、複数のＬＥＤ１で構成されたＬＥＤ表示部１０を駆動する。各ＬＥＤ１は、それぞれが赤（Ｒ）色、緑（Ｇ）色および青（Ｂ）色の３個の発光ダイオードを含んだ発光ダイオードの組である。図２のＬＥＤ表示部１０には、４×４＝１６組のＬＥＤ１が例示されている。
【００２０】
図３に示すように、ＬＥＤエージング部２０は、ＬＥＤ表示部１０が備えるＬＥＤ１と同じ特性の測定用発光ダイオードを有するＬＥＤ１’を備えるエージング表示部であるＬＥＤエージング表示部２１と、ＬＥＤエージング表示部２１の測定用発光ダイオードを駆動データに基づいて駆動する第二駆動部５０と、ＬＥＤエージング表示部２１の表示パターンを実現する駆動データを生成する駆動データ生成部７と、ＬＥＤエージング表示部２１の測定用発光ダイオードの輝度を測定する輝度測定部９と、輝度測定部９が測定した輝度を測定用発光ダイオードの点灯時間と対応させて輝度低下率として記憶する輝度低下率記憶部１１と、ＬＥＤエージング表示部２１のＬＥＤ１’が備える各色の測定用発光ダイオードの温度を検出する第二温度検出部２２と、第二温度検出部２２が検出した測定用発光ダイオードの温度に基づいた値である第二温度を記憶する第二温度記憶部１５と、を備える。第二温度記憶部１５が記憶する第二温度は、具体的には、第二温度検出部２２が検出した測定用発光ダイオードの温度またはその色別の平均値である。
【００２１】
ここで、制御部８が備える補正係数演算手段１２は、輝度低下率記憶部１１が記憶する輝度低下率と点灯時間記憶手段６が記憶する各ＬＥＤ１の点灯時間とに基づいて、輝度の補正係数を演算する。補正係数演算手段１２は、第一温度記憶部１４に記憶されたＬＥＤ表示部１０の発光ダイオードの温度と第二温度記憶部１５に記憶されたＬＥＤエージング表示部２１の測定用発光ダイオードの温度との差異に依存した輝度低下率の変化に基づいて上記補正係数をさらに補正する。輝度補正回路４は、映像信号処理回路３の出力を、補正係数演算手段１２が演算した補正係数を用いた映像信号処理にて補正してＬＥＤ表示ユニット１３に送る。
【００２２】
点灯時間記憶手段６に格納される点灯時間のデータは、個々のＬＥＤ１の赤（Ｒ）色、緑（Ｇ）色および青（Ｂ）色の発光ダイオードが点灯した時間それぞれの累積値であって、一定の単位時間ごとに値が累積される。具体的には、単位時間が１時間でデューティ比１０％の輝度で、ある色の発光ダイオードが点灯すれば、１時間ごとに０．１時間が点灯時間に累積された累積点灯時間が点灯時間記憶手段６に格納されることになる。このように、累積点灯時間はデューティ比で正規化した値とする。デューティ比による電流制御方法の動作説明については後述する。
【００２３】
図４は、実施の形態１にかかるＬＥＤ表示部１０が備えるＬＥＤ１およびＬＥＤエージング表示部２１が備えるＬＥＤ１’の緑色の発光ダイオードの点灯時間と輝度低下率との関係を示した図である。すなわち、図４には、ＬＥＤ１およびＬＥＤ１’の緑（Ｇ）の発光ダイオードの点灯時間と輝度との関係が示されている。図４に示されるように、発光ダイオードの輝度は点灯時間とともに低下することになる。ただし、図４に示すように輝度低下率の時間変化にはばらつきが存在し、ばらつき上限とばらつき下限との間に平均が存在する。
【００２４】
従来、輝度低下率は事前の測定によって求められていた。しかし、実施の形態１にかかる発光ダイオード表示装置１００においては、ＬＥＤエージング部２０により輝度低下率を実時間で計測するように構成されている。以下、輝度低下率の計測方法について説明する。
【００２５】
駆動データ生成部７は、輝度補正回路４が出力する映像信号に基づいて、ＬＥＤエージング表示部２１に表示パターンを表示させる駆動データを生成し、第二駆動部５０は、この駆動データに基づいてＬＥＤエージング表示部２１を駆動する。駆動データ生成部７で生成される駆動データは、第一駆動部５がＬＥＤ表示部１０の発光ダイオードを駆動するデューティ比の中で最大のデューティ比を測定用発光ダイオードを駆動するデューティ比とする駆動データである。デューティ比は、１フレーム期間中で発光ダイオードが点灯している期間の割合である。各ＬＥＤ表示部１０で表示される最大デューティ比は、色別に得られるので、色別に得られた最大デューティ比でＬＥＤエージング表示部２１の色別の発光ダイオードは駆動される。ＬＥＤ表示部１０のある色の発光ダイオードの最大デューティ比が１００％であればＬＥＤエージング表示部２１の当該色の発光ダイオードの表示パターンもデューティ比を１００％に設定すればよい。これにより、ＬＥＤエージング表示部２１においては、ＬＥＤ表示部１０に使用される複数のＬＥＤ１の中で点灯時間の最も長いＬＥＤ１の発光ダイオードと同じ点灯時間を各色ごとに確保することが可能となる。
【００２６】
ＬＥＤエージング表示部２１は、ＬＥＤ１と同じ発光ダイオードを有するＬＥＤ１’を複数備える。各ＬＥＤ１’は、ＬＥＤ１と同様にそれぞれが赤（Ｒ）色、緑（Ｇ）色および青（Ｂ）色の３個の発光ダイオードを含んだ発光ダイオードの組である。図３のＬＥＤエージング表示部２１には、２×２＝４組のＬＥＤ１’が例示されている。ＬＥＤエージング表示部２１を複数のＬＥＤ１’で構成することにより、輝度測定部９による輝度測定において、赤（Ｒ）色、緑（Ｇ）色および青（Ｂ）色の発光ダイオードそれぞれの輝度の平均をとることができる。これによりＬＥＤ１’が１組のみの場合と比較して輝度のばらつきを抑えた輝度データの取得が可能になる。ただし、ＬＥＤエージング表示部２１が備えるＬＥＤ１’が１組であってもかまわない。また、必ずしも３色必要なければ、赤（Ｒ）色、緑（Ｇ）色および青（Ｂ）色の発光ダイオードが全て揃っていなくてもかまわない。
【００２７】
輝度測定部９は、ＬＥＤエージング表示部２１に対向した形で配置されＬＥＤエージング表示部２１のそれぞれのＬＥＤ１’の各色の発光ダイオードの輝度を測定する。輝度測定部９が備える計測デバイスとしては、具体的には、可視域の波長で計測可能なフォトダイオードといったものを使用することができる。
【００２８】
図５は、実施の形態１にかかるＬＥＤエージング表示部２１が備えるＬＥＤ１’の各色の発光ダイオードの輝度測定に基づいて得られた点灯時間ｔと輝度低下率との関係を示した図である。図５において、ＬＥＤ１’の赤（Ｒ）色、緑（Ｇ）色、青（Ｂ）色の発光ダイオードの輝度低下率は、点灯時間ｔの関数としてそれぞれｋｒ（ｔ）、ｋｇ（ｔ）、ｋｂ（ｔ）で示される。上記したように、点灯時間ｔはデューティ比で正規化した値であり、輝度低下率は初期の輝度に対する現在の輝度の低下の割合である。各色の輝度は、ＬＥＤ１’が複数の場合は各色の輝度の平均値をとったものになる。
【００２９】
輝度測定部９によるＬＥＤエージング表示部２１の輝度の測定結果と、駆動データ生成部７から得たＬＥＤエージング表示部２１が備える各色の発光ダイオードの点灯時間と、を輝度低下率記憶部１１に記憶させることにより、点灯時間に対する各色の発光ダイオードの輝度低下率を実時間で計測することが可能となる。
【００３０】
また、発光ダイオードの点灯時間に対する輝度低下率は、一般的には駆動時の温度も影響するため、ＬＥＤ表示部１０を構成しているＬＥＤ１とＬＥＤエージング表示部２１を構成しているＬＥＤ１’との温度差異に基づいた補正をすることで、より精度の高い輝度補正を実現することができる。
【００３１】
ＬＥＤ表示部１０を構成している各ＬＥＤ１の赤（Ｒ）色、緑（Ｇ）色、青（Ｂ）色の発光ダイオードの温度を第一温度ｔｒ、ｔｇ、ｔｂとし、ＬＥＤエージング表示部２１を構成しているＬＥＤ１’の赤（Ｒ）色、緑（Ｇ）色、青（Ｂ）色の発光ダイオードの温度を第二温度ｔｒｅ、ｔｇｅ、ｔｂｅとすると、赤（Ｒ）色、緑（Ｇ）色、青（Ｂ）色の発光ダイオードそれぞれの温度差異Ｔｒ、Ｔｇ、Ｔｂは以下の式で示される。
【００３２】
Ｔｒ＝ｔｒ−ｔｒｅ
Ｔｇ＝ｔｇ−ｔｇｅ
Ｔｂ＝ｔｂ−ｔｂｅ
【００３３】
ここで、ｔｒ、ｔｇ、ｔｂは、第一温度検出部１６が検出する各ＬＥＤ１の色別の発光ダイオードの温度の値である。ｔｒｅ、ｔｇｅ、ｔｂｅは、第二温度検出部２２が検出するＬＥＤ１’の色別の発光ダイオードの温度の値であって、ＬＥＤ１’が複数ある場合は、各色ごとに平均をとった値とする。そして、赤（Ｒ）色、緑（Ｇ）色、青（Ｂ）色それぞれの温度差異Ｔｒ、Ｔｇ、Ｔｂに対する閾値をｒβ、ｇβ、ｂβとする。
【００３４】
ここで、図６は、実施の形態１における駆動時の発光ダイオードの温度の差異に起因する輝度低下率差異の点灯時間による変化を示す図である。ＬＥＤ表示部１０を構成している各ＬＥＤ１とＬＥＤエージング表示部２１を構成しているＬＥＤ１’との温度差異に対する輝度低下率の差異は、赤（Ｒ）色、緑（Ｇ）色、青（Ｂ）色それぞれに対して点灯時間ｔの関数である温度補正係数ｒα（ｔ）、ｇα（ｔ）、ｂα（ｔ）で示される。温度補正係数ｒα（ｔ）、ｇα（ｔ）、ｂα（ｔ）の情報は、固有のテーブルとして補正係数演算手段１２に予め保持されている。
【００３５】
温度差異Ｔｒ、Ｔｇ、Ｔｂが、Ｔｒ≧ｒβ、Ｔｇ≧ｇβ、Ｔｂ≧ｂβの場合は、温度差異による輝度低下率への影響があり、Ｔｒ＜ｒβ、Ｔｇ＜ｇβ、Ｔｂ＜ｂβの場合は、温度差異による輝度低下率への影響は無視できるとする。
【００３６】
従って、温度差異による輝度低下率への影響がある場合は、図６に示した温度補正係数ｒα（ｔ）、ｇα（ｔ）、ｂα（ｔ）を用いることで、より精度良く輝度劣化の補正を行うことが可能となる。
【００３７】
具体的には、ＬＥＤ１の緑色の発光ダイオードとＬＥＤエージング表示部２１の緑色の発光ダイオードの温度差異ＴｇがＴｇ≧ｇβの状態で、ＬＥＤ１およびＬＥＤ１’が共に駆動され続ける場合を考える。この場合、図６において点灯時間ｔが１００Ｋ時間経過すると、ＬＥＤ１の緑色の発光ダイオードの輝度値は、ＬＥＤエージング表示部２１が備える緑色の発光ダイオードから算出される輝度値よりもさらに１５％低下していると判断する。一方、Ｔｇ＜ｇβの場合は、ＬＥＤ１の緑色の発光ダイオードの輝度値は、ＬＥＤエージング表示部２１が備える緑色の発光ダイオードから算出される輝度値と同じであると判断する。
【００３８】
次に、実施の形態１における輝度補正方法について詳細に説明する。図７は、実施の形態１にかかる発光ダイオード表示装置１００の輝度補正方法を示すフローチャートである。
【００３９】
図７において、制御部８は、図示せぬ計時手段に基づいて、輝度補正の単位時間が経過したか否かを判定する（ステップＳ１）。輝度補正の単位時間の具体例は、１００時間といった時間である。輝度補正の単位時間が経過していなければ（ステップＳ１：Ｎｏ）、再度ステップＳ１に戻って判定を行う。輝度補正の単位時間が経過していれば（ステップＳ１：Ｙｅｓ）、ステップＳ２に進む。
【００４０】
ステップＳ２では、補正係数演算手段１２は、点灯時間記憶手段６を参照して、各ＬＥＤ１の各色の発光ダイオードについてそれぞれ最大累積点灯時間を検索する（ステップＳ２）。全てのＬＥＤ１の発光ダイオードの累積点灯時間の中で、赤（Ｒ）色、緑（Ｇ）色および青（Ｂ）色それぞれの発光ダイオードについての最大累積点灯時間をそれぞれ、ｔｒｍａｘ、ｔｇｍａｘ、ｔｂｍａｘとすると、ステップＳ２ではこの３つの値を求める。
【００４１】
次に、補正係数演算手段１２は、ＬＥＤエージング部２０が備える輝度低下率記憶部１１を参照し、ステップＳ２で求めた赤（Ｒ）色、緑（Ｇ）色および青（Ｂ）色それぞれの最大累積点灯時間ｔｒｍａｘ、ｔｇｍａｘ、ｔｂｍａｘに対応する３つの輝度低下率から、最も大きい輝度低下率を選択することにより、最大輝度低下率ｋｒｇｂ（ｔｍａｘ）を求める（ステップＳ３）。ここで、ｔｍａｘ＝（ｔｒｍａｘ，ｔｇｍａｘ，ｔｂｍａｘ）であり、先に、図５で示した輝度低下率の関数ｋｒ（ｔ）、ｋｇ（ｔ）、ｋｂ（ｔ）を用いて、最大輝度低下率ｋｒｇｂ（ｔｍａｘ）は下記の数式（１）で示される。
【００４２】
【数１】
2017061195.tif 000003
【００４３】
次に、補正係数演算手段１２は、点灯時間記憶手段６および輝度低下率記憶部１１を参照し、ＬＥＤ表示部１０の全てのＬＥＤ１の各色の発光ダイオードについて、累積点灯時間と、点灯時間ｔに対する輝度低下率と、ステップＳ３で求めた最大輝度低下率ｋｒｇｂ（ｔｍａｘ）とから、各ＬＥＤ１の各色の発光ダイオードに対する補正係数を求める（ステップＳ４）。補正係数の具体例は後で詳述する。
【００４４】
次に、補正係数演算手段１２は、ＬＥＤ表示部１０が備える発光ダイオードの温度ｔｒ、ｔｇ、ｔｂを記憶する第一温度記憶部１４とＬＥＤエージング表示部２１の温度ｔｒｅ、ｔｇｅ、ｔｂｅを記憶する第二温度記憶部１５を参照し、温度差異Ｔｒ、Ｔｇ、Ｔｂを求める。温度差異Ｔｒ、Ｔｇ、Ｔｂによる輝度低下率への影響の有無に応じて、図６に示した温度補正係数を用いることで、ＬＥＤ表示部１０が備える各ＬＥＤ１の各色の発光ダイオードに対する補正係数を修正する（ステップＳ５）。補正係数の修正の具体例は後で詳述する。
【００４５】
最後に、輝度補正回路４は、上記ステップＳ４およびステップＳ５を経て求められた発光ダイオードに対する補正係数を用いて、映像信号処理回路３から供給された映像信号における当該発光ダイオードの輝度を補正する（ステップＳ６）。ステップＳ６の後はステップＳ１に戻る。
【００４６】
次に、ステップＳ４で求める補正係数の具体例を説明する。
【００４７】
ＬＥＤ１の赤（Ｒ）色、緑（Ｇ）色、青（Ｂ）色の発光ダイオードの現在の輝度をそれぞれＲｐ、Ｇｐ、Ｂｐとする。ＬＥＤ１の赤（Ｒ）色、緑（Ｇ）色、青（Ｂ）色の発光ダイオードそれぞれの現在までに累積された点灯時間をｔとすると、各色の輝度低下率はそれぞれｋｒ（ｔ）、ｋｇ（ｔ）、ｋｂ（ｔ）となり、さらにステップＳ３で求めた最大輝度低下率ｋｒｇｂ（ｔｍａｘ）を用いると、ＬＥＤ１の赤（Ｒ）色、緑（Ｇ）色、青（Ｂ）色の発光ダイオードそれぞれの補正後の輝度Ｒｃｏｍｐ、Ｇｃｏｍｐ、Ｂｃｏｍｐは、以下の数式（２）で示される。
【００４８】
【数２】
2017061195.tif 000004
【００４９】
したがって、ステップＳ４で求める補正係数は、数式（２）のそれぞれの右辺において現在の輝度Ｒｐ、Ｇｐ、Ｂｐに乗ぜられている係数である。ここで、数式（２）におけるＬＥＤ１の赤（Ｒ）色、緑（Ｇ）色、青（Ｂ）色の発光ダイオードの現在の輝度Ｒｐ、Ｇｐ、Ｂｐは、ＬＥＤ１の赤（Ｒ）色、緑（Ｇ）色、青（Ｂ）色の発光ダイオードの輝度の初期値をＲ０、Ｇ０、Ｂ０とすると、以下の数式（３）で示される。
【００５０】
【数３】
2017061195.tif 000005
【００５１】
数式（３）を数式（２）に代入すれば、ＬＥＤ１の赤（Ｒ）色、緑（Ｇ）色、青（Ｂ）色の発光ダイオードそれぞれの補正後の輝度Ｒｃｏｍｐ、Ｇｃｏｍｐ、Ｂｃｏｍｐは、以下の数式（４）で示される。
【００５２】
【数４】
2017061195.tif 000006
【００５３】
数式（４）に示されるように、補正後の輝度は、ＬＥＤ１の赤（Ｒ）色、緑（Ｇ）色、青（Ｂ）色の発光ダイオードの輝度の初期値Ｒ０、Ｇ０、Ｂ０に対し、最大輝度低下率ｋｒｇｂ（ｔｍａｘ）で統一的に補正されたものとなる。すなわち、輝度の初期値Ｒ０、Ｇ０、Ｂ０が同じ最大輝度低下率ｋｒｇｂ（ｔｍａｘ）で低下した輝度になるように補正されるので、輝度のばらつきを低減することができ輝度均一性を保つことが可能となる。
【００５４】
さらに、ステップＳ５で実行される補正係数の修正の具体例を説明する。
【００５５】
補正係数演算手段１２は、第一温度記憶部１４および第二温度記憶部１５を参照し、ＬＥＤ表示部１０のすべてのＬＥＤ１の各色の発光ダイオードの温度ｔｒ、ｔｇ、ｔｂについて、ＬＥＤエージング表示部２１のＬＥＤ１’の各色の発光ダイオードから得た温度ｔｒｅ、ｔｇｅ、ｔｂｅとの温度差異Ｔｒ、Ｔｇ、Ｔｂを計算する。
【００５６】
温度差異に起因する輝度低下率の誤差を温度補正係数ｒα（ｔ）、ｇα（ｔ）、ｂα（ｔ）により修正すると、修正後の補正係数によるＬＥＤ１の赤（Ｒ）色、緑（Ｇ）色、青（Ｂ）色の発光ダイオードそれぞれの補正後の輝度Ｒｃｏｍｐ、Ｇｃｏｍｐ、Ｂｃｏｍｐは、以下の数式（５）で示される。
【００５７】
【数５】
2017061195.tif 000007
【００５８】
ここで、上述したようにＴｒ≧ｒβ、Ｔｇ≧ｇβ、Ｔｂ≧ｂβの場合は、温度差異による輝度低下率への影響があり、Ｔｒ＜ｒβ、Ｔｇ＜ｇβ、Ｔｂ＜ｂβの場合は、温度差異による輝度低下率への影響が無視できるとすると、Ｔｒ＜ｒβ、Ｔｇ＜ｇβ、Ｔｂ＜ｂβの場合の輝度のそれぞれを、輝度低下率への温度差異による影響があるＴｒ≧ｒβ、Ｔｇ≧ｇβ、Ｔｂ≧ｂβの場合の輝度に合せる必要がある。
【００５９】
具体的には、温度差異Ｔｒ、Ｔｇ、Ｔｂが閾値ｒβ、ｇβ、ｂβ以上であって輝度低下率の大きいＬＥＤ１の発光ダイオードに、温度差異Ｔｒ、Ｔｇ、Ｔｂが閾値ｒβ、ｇβ、ｂβ未満であって輝度低下率が温度差異の影響を受けてないＬＥＤ１の発光ダイオードの輝度低下率を合わせるように、ステップＳ４で得た補正係数をステップＳ５において修正する。
【００６０】
すなわち、ステップＳ５において、Ｔｒ＜ｒβ、Ｔｇ＜ｇβ、Ｔｂ＜ｂβの場合は、温度補正係数ｒα（ｔ）、ｇα（ｔ）、ｂα（ｔ）を用いて数式（５）となるように補正係数を修正し、Ｔｒ≧ｒβ、Ｔｇ≧ｇβ、Ｔｂ≧ｂβの場合は、数式（５）において、それぞれｒα（ｔ）＝０、ｇα（ｔ）＝０、ｂα（ｔ）＝０とすることで、温度差異による輝度補正の修正を行わない。このようにステップＳ５における補正係数の修正は、（１−ｒα（ｔ））、（１−ｇα（ｔ））、（１−ｂα（ｔ））の係数を乗ずるか否かにより実施される。なお、Ｔｒ≧ｒβ、Ｔｇ≧ｇβ、Ｔｂ≧ｂβとなるようなＬＥＤ１の発光ダイオードが全く存在しない場合は、温度差異による輝度低下率への影響がないので、数式（５）のような補正係数の修正は実行しなくてもかまわない。
【００６１】
ＬＥＤ１の発光ダイオードの輝度調整については、パルス幅変調方式が使用される。パルス幅変調を、以下では、ＰＷＭ（Ｐｕｌｓｅ  Ｗｉｄｔｈ  Ｍｏｄｕｌａｔｉｏｎ）と称する。図８は、実施の形態１における発光ダイオードのＰＷＭ駆動の一例を示す図である。図８の（ａ）は、ＰＷＭの基本周期を示しており、ＰＷＭの基本周期は映像信号の１フレーム期間以下である。図８の（ｂ）は、パルス幅のデューティ比が８５％の場合を示しており、発光ダイオードはＰＷ１の期間発光する。図８の（ｃ）は、パルス幅のデューティ比が８０％の場合を示しており、発光ダイオードはＰＷ２の期間発光する。このようにパルス幅のデューティ比を変えることでＬＥＤ１の発光ダイオードの輝度を調整することができる。
【００６２】
従って、上述したステップＳ６における輝度の補正においても、補正係数を乗じた後の輝度となるように輝度補正回路４がパルス幅のデューティ比を変化させることで輝度の補正が可能である。図９は、実施の形態１における発光ダイオード表示装置１００の輝度補正の方法を示す図である。図９は、ＬＥＤ表示部１０が備える緑色の発光ダイオードの輝度補正の例を示している。
【００６３】
以上説明したように、実施の形態１においては、図９に示す通り、各ＬＥＤ表示ユニット１３が備えるＬＥＤ表示部１０のＬＥＤ１の各色の発光ダイオード、即ち発光ダイオード表示装置１００が備える全ての発光ダイオードは、補正前の輝度低下率から補正後は最も輝度低下率の大きい発光ダイオードの輝度低下率となるように輝度が補正される。すなわち、補正後の全ての発光ダイオードの輝度は、最大輝度低下率ｋｒｇｂ（ｔｍａｘ）となるように輝度低下率が統一される。
【００６４】
その結果、表示全体として輝度均一性およびホワイトバランスを保つことができ、輝度ばらつきの改善が可能となる。すなわち、個々の発光ダイオード素子の輝度特性の経時変化に起因する輝度ばらつきを高い精度で補償することが可能になる。これにより、表示画面の見にくさが解消される。また、実施の形態１にかかる発光ダイオード表示装置１００による輝度補正の方式によれば、各発光ダイオードの初期の輝度を高く取れるという利点も得られる。
【００６５】
また、輝度センサを用いて、ＬＥＤ表示ユニット１３の輝度を常時計測しようとすると、当該輝度センサによりＬＥＤ表示ユニット１３の表示を遮るといった問題があった。しかし、実施の形態１にかかる発光ダイオード表示装置１００によれば、ＬＥＤ表示ユニット１３の外に配置するＬＥＤエージング部２０を使って輝度の変化を計測するため、輝度センサによりＬＥＤ表示ユニット１３の表示を遮ること無しに、ＬＥＤ表示ユニット１３の発光ダイオードの輝度の経時変化を常時検出することができる。その結果、輝度低下率の測定および輝度補正を高い精度で実現可能となる。
【００６６】
さらに、輝度補正回路４は、入力された映像信号の輝度値、すなわちデューティ比で正規化された点灯時間を計測して各ＬＥＤ表示ユニット１３が備えるすべてのＬＥＤ表示部１０の発光ダイオードの累積点灯時間を算出すると共に、ＬＥＤエージング部２０から得た輝度劣化情報に基づいてＬＥＤ表示ユニット１３が備えるすべての発光ダイオードの輝度を予め補正して映像信号を出力する。
【００６７】
これにより、各ＬＥＤ表示部１０の発光ダイオードに対する補正係数および累積点灯時間をＬＥＤ表示ユニット１３の外部に記憶することができる。具体的には、補正係数は補正係数演算手段１２に、累積点灯時間は点灯時間記憶手段６に保持される。その結果、一部のＬＥＤ表示ユニット１３が故障といった原因により交換が必要になった場合でも、交換されたＬＥＤ表示ユニット１３については新たに累積点灯時間を計算すれば済むので、容易にＬＥＤ表示ユニット１３全体の輝度調整を行うことができる。
【００６８】
このように、実施の形態１にかかる発光ダイオード表示装置１００においては、映像信号処理回路３、補正係数演算手段１２、輝度補正回路４、点灯時間記憶手段６およびＬＥＤエージング部２０をＬＥＤ表示ユニット１３の外に設けることで、既存の機種のＬＥＤ表示ユニットに適用することが容易に可能になる利点がある。しかし、制御部８を、ＬＥＤ表示ユニット１３の内部に設けてもかまわない。
【００６９】
また、実施の形態１とは異なり、輝度測定部９をＬＥＤ表示ユニット１３に設けてＬＥＤ表示部１０の輝度低下率の測定を行うと、輝度測定部９によってＬＥＤ表示部１０に表示される映像を妨げることになる。しかし、実施の形態１にかかる発光ダイオード表示装置１００によれば、輝度測定部９は、ＬＥＤ表示部１０とは異なる場所に配置されるＬＥＤエージング表示部２１の輝度を測定するため、ＬＥＤ表示部１０に表示される映像を妨げないで済むという効果が得られる。
【００７０】
実施の形態２．
実施の形態１においては、各ＬＥＤ表示部１０のＬＥＤ１の全ての発光ダイオードを最も輝度低下の大きい発光ダイオードの輝度低下率、すなわち最大輝度低下率ｋｒｇｂ（ｔｍａｘ）に統一するように輝度の補正を行った。しかし、実施の形態２においては、別の補正方法を用いる。実施の形態２にかかる発光ダイオード表示装置１００の全体システムの構成は、実施の形態１と同様に図１で示される。
【００７１】
図１０は、本発明の実施の形態２における発光ダイオード表示装置１００の輝度補正の方法を示す図である。図１０に示すように、輝度の初期値を最大輝度より小さく、具体的には最大輝度の５０％程度にしておけば、点灯時間記憶手段６および輝度低下率記憶部１１に保持されている情報に基づいて、各ＬＥＤ１が備える全ての発光ダイオードの輝度低下率を求め、輝度が初期値になるように輝度の補正を行えば、輝度を一定に保つことが可能である。
【００７２】
図１１は、実施の形態２にかかる発光ダイオード表示装置１００の輝度補正方法を示すフローチャートである。図１１に示したフローチャートは、図７に示したフローチャートからステップＳ２およびＳ３を除いたものであるが、ステップＳ４およびＳ５の内容が図７とは異なる。以下、主に異なる点を説明する。
【００７３】
ＬＥＤ１の赤（Ｒ）色、緑（Ｇ）色、青（Ｂ）色の発光ダイオードそれぞれの現在の輝度をＲｐ、Ｇｐ、Ｂｐとする。図５に示した、累積された点灯時間ｔにおける各色の発光ダイオードそれぞれの輝度低下率ｋｒ（ｔ）、ｋｇ（ｔ）、ｋｂ（ｔ）を用いると、補正後のＬＥＤ１の赤（Ｒ）色、緑（Ｇ）色、青（Ｂ）色の発光ダイオードそれぞれの輝度Ｒｃｏｍｐ、Ｇｃｏｍｐ、Ｂｃｏｍｐは、以下の数式（６）で示される。
【００７４】
【数６】
2017061195.tif 000008
【００７５】
図１１のステップＳ４で求める補正係数は、数式（６）のそれぞれの右辺において現在の輝度Ｒｐ、Ｇｐ、Ｂｐに乗ぜられている係数である。ここで、数式（３）を数式（６）に代入すれば、補正後のＬＥＤ１の赤（Ｒ）色、緑（Ｇ）色、青（Ｂ）色の発光ダイオードのそれぞれの輝度Ｒｃｏｍｐ、Ｇｃｏｍｐ、Ｂｃｏｍｐは、次の数式（７）で示される。
【００７６】
【数７】
2017061195.tif 000009
【００７７】
数式（７）に示されるように、輝度Ｒｃｏｍｐ、Ｇｃｏｍｐ、Ｂｃｏｍｐは、それぞれ、ＬＥＤ１の赤（Ｒ）色、緑（Ｇ）色、青（Ｂ）色の発光ダイオードの輝度の初期値に補正される。すなわち、図１０に示したように輝度の初期値を維持して輝度が一定に保たれるように、補正係数演算手段１２が補正係数を求めて、輝度補正回路４が輝度を補正する。
【００７８】
なお、温度差異による輝度低下率への影響に基づいた上記補正係数の修正については、図６に示した温度補正係数ｒα（ｔ）、ｇα（ｔ）、ｂα（ｔ）を用いることで、以下の数式（８）で示される。
【数８】
2017061195.tif 000010
【００７９】
ここで、Ｔｒ≧ｒβ、Ｔｇ≧ｇβ、Ｔｂ≧ｂβの場合は、温度差異による輝度低下率への影響があり、Ｔｒ＜ｒβ、Ｔｇ＜ｇβ、Ｔｂ＜ｂβの場合は、温度差異による輝度低下率への影響が無視できるとする。
【００８０】
従って、図１１のステップＳ５においては、Ｔｒ≧ｒβ、Ｔｇ≧ｇβ、Ｔｂ≧ｂβの場合のみ温度補正係数ｒα（ｔ）、ｇα（ｔ）、ｂα（ｔ）を適用して数式（８）の補正係数の修正を行い、Ｔｒ＜ｒβ、Ｔｇ＜ｇβ、Ｔｂ＜ｂβの場合はそれぞれ、ｒα（ｔ）＝０、ｇα（ｔ）＝０、ｂα（ｔ）＝０とすることで、補正係数の温度差異による修正を行わない。このように図１１のステップＳ５における補正係数の修正は、１／（１−ｒα（ｔ））、１／（１−ｇα（ｔ））、１／（１−ｂα（ｔ））の係数を乗ずるか否かにより実施される。
【００８１】
その後の図１１のステップＳ６は図７のステップＳ６と同様であり、ＬＥＤ１の発光ダイオードの輝度の補正は、実施の形態１と同様にパルス幅のデューティ比を変化させることで、補正による輝度補正が可能である。
【００８２】
実施の形態２にかかる発光ダイオード表示装置１００においても、輝度測定部９がＬＥＤ表示部１０に表示される映像を妨げないで、個々の発光ダイオード素子の輝度特性の経時変化に起因する輝度ばらつきを補償することが可能になるという効果が得られる上、図１０に示した輝度補正方式によれば、輝度の初期値を低くすることによって輝度を一定に保って輝度均一性を維持することができるという利点がある。
【００８３】
実施の形態３．
図１２は、本発明の実施の形態３にかかるＬＥＤエージング表示部２１における複数のデューティ比における点灯時間と輝度低下率の関係を説明する図である。図１２は、緑色の発光ダイオードの例であり、実線はそれぞれのデューティ比における点灯時間と輝度低下率の関係を示し、それぞれを挟む点線は発光ダイオードの個体ばらつきを示す。
【００８４】
図１２に示すように、ＬＥＤ１を構成する発光ダイオードは、正規化した点灯時間ｔを横軸にとったとしても、使用時における輝度を決定するデューティ比によって実際の輝度低下率が異なる。
【００８５】
実施の形態１および２においては、ＬＥＤ表示部１０が備える各色の発光ダイオードの最大デューティ比と同じデューティ比でＬＥＤエージング表示部２１の各色の発光ダイオードを駆動した。しかし、実施の形態３においては、ＬＥＤエージング表示部２１の複数のＬＥＤ１’のそれぞれの色の発光ダイオードを最大デューティ比を含んだ複数の異なる値のデューティ比で測定用発光ダイオードを駆動する駆動データを駆動データ生成部７が生成する。これにより、ＬＥＤエージング表示部２１が備える各色の測定用発光ダイオードにおいて、色毎に輝度の平均をとれば、図１２の実線に示すようにＬＥＤエージング部２０において上記した複数の異なる値のデューティ比における点灯時間ｔと輝度低下率との関係を得ることができる。
【００８６】
その結果、数式（２）および数式（６）における補正係数を求める場合に、ＬＥＤ表示部１０における実際の駆動条件により近いデューティ比で得られた精度の高い輝度低下率のデータを用いることが可能となるため輝度補正の精度をさらに向上させることができる。
【００８７】
また、上記実施の形態１から３の説明においては、ＬＥＤ表示部１０が備える発光ダイオードの輝度補正を輝度補正回路４が映像信号処理回路３の出力である映像信号に対して行うとして説明した。しかし、最終的にＬＥＤ表示部１０が備える発光ダイオードに対する駆動信号のデューティ比または駆動電流を補正することができれば良いので、輝度を補正するための調整対象は映像信号処理回路３が出力する映像信号に限定されるものではない。
【００８８】
また、上記説明においては、ＬＥＤエージング表示部２１に使用されるＬＥＤ１’は、ＬＥＤ表示部１０のＬＥＤ１と同じ発光ダイオードを有していると説明したが、発光ダイオードは製造ロットにより輝度および波長のばらつきが変化する。また、発光ダイオードは輝度、波長といった性能特性に依存してＢＩＮコードといった分類コードを用いて分類されている。輝度低下率の精度を向上させるために、ＬＥＤ表示部１０に使用されるＬＥＤ１とＬＥＤエージング表示部２１に使用されるＬＥＤ１’とで、製造ロットおよびＢＩＮコードを一致させることで測定される輝度低下率および輝度補正の精度が向上する。
【００８９】
また、実施の形態１および２の説明においては、ＬＥＤ表示部１０の各色の発光ダイオードの温度ｔｒ、ｔｇ、ｔｂとＬＥＤエージング表示部２１の各色の発光ダイオードの温度ｔｒｅ、ｔｇｅ、ｔｂｅとの温度差異Ｔｒ、Ｔｇ、Ｔｂについて、色毎にそれぞれ１つの閾値ｒβ、ｇβ、ｂβを用いて、輝度低下率への影響の有無を判断した。しかし、温度差異Ｔｒ、Ｔｇ、Ｔｂに対する閾値をそれぞれ複数設定して、それに対応して温度補正係数の関数を増やすことで、輝度低下率および輝度補正の更なる精度の向上が図れる。
【００９０】
具体的には、赤（Ｒ）色、緑（Ｇ）色、青（Ｂ）色の各色の温度差異Ｔｒ、Ｔｇ、Ｔｂに対応して、閾値ｒβ１、ｇβ１、ｂβ１および閾値ｒβ２（＞ｒβ１）、ｇβ２（＞ｇβ１）、ｂβ２（＞ｂβ１）を設定し、これにより、各色の温度補正の領域を以下の３つに細分化することができる。
【００９１】
（領域１）Ｔｒ＜ｒβ１、Ｔｇ＜ｇβ１、Ｔｂ＜ｂβ１の場合
（領域２）ｒβ１≦Ｔｒ＜ｒβ２、ｇβ１≦Ｔｇ＜ｇβ２、ｂβ１≦Ｔｂ＜ｂβ２の場合
（領域３）Ｔｒ≧ｒβ２、Ｔｇ≧ｇβ２、Ｔｂ≧ｂβ２の場合
【００９２】
そして、赤（Ｒ）色、緑（Ｇ）色、青（Ｂ）色の各色に対応する温度補正係数として、ｒα１（ｔ）、ｇα１（ｔ）、ｂα１（ｔ）およびｒα２（ｔ）、ｇα２（ｔ）、ｂα２（ｔ）を設定する。これにより、（領域１）においては、温度差異による輝度低下率への影響は無視できるとし、（領域２）および（領域３）においては、温度差異による輝度低下率への影響があるとする。そして、（領域２）では、温度補正係数ｒα１（ｔ）、ｇα１（ｔ）、ｂα１（ｔ）を用いて数式（５）または数式（８）で行った補正係数の修正を行い、（領域３）では、温度補正係数ｒα２（ｔ）、ｇα２（ｔ）、ｂα２（ｔ）を用いて数式（５）または数式（８）で行った補正係数の修正を行えばよい。
【００９３】
また、上記説明においては、ＬＥＤ表示部１０のすべてのＬＥＤ１が備える発光ダイオードについての温度ｔｒ、ｔｇ、ｔｂを測定して、ｔｒｅ、ｔｇｅ、ｔｂｅとの温度差異による輝度低下率の補正を修正するとした。しかし、ＬＥＤ表示部１０を構成する各ＬＥＤ１の温度勾配によっては、複数のＬＥＤ１を１つのブロックと見なし、温度差異に依存した輝度低下率の補正の修正方法を簡素化してもよい。
【００９４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９５】
１，１’  ＬＥＤ、２  入力端子、３  映像信号処理回路、４  輝度補正回路、５  第一駆動部、６  点灯時間記憶手段、７  駆動データ生成部、８  制御部、９  輝度測定部、１０  ＬＥＤ表示部、１１  輝度低下率記憶部、１２  補正係数演算手段、１３  ＬＥＤ表示ユニット、１４  第一温度記憶部、１５  第二温度記憶部、１６  第一温度検出部、２０  ＬＥＤエージング部、２１  ＬＥＤエージング表示部、２２  第二温度検出部、５０  第二駆動部、１００  発光ダイオード表示装置、１３０  信号線。
【図１】
2017061195.tif 000011
【図２】
2017061195.tif 000012
【図３】
2017061195.tif 000013
【図４】
2017061195.tif 000014
【図５】
2017061195.tif 000015
【図６】
2017061195.tif 000016
【図７】
2017061195.tif 000017
【図８】
2017061195.tif 000018
【図９】
2017061195.tif 000019
【図１０】
2017061195.tif 000020
【図１１】
2017061195.tif 000021
【図１２】
2017061195.tif 000022
【国際調査報告】
2017061195.tif 000023
2017061195.tif 000024
2017061195.tif 000025
2017061195.tif 000026